【事件の表示】
　特願２００７−５１１７７２号「換気装置及びフレームシステム」拒絶査定不服審判事件〔平成１７年１１月１７日国際公開、ＷＯ２００５／１０８６９６、平成１９年１２月１３日国内公表、特表２００７−５３６４９２号〕について、次のとおり審決する。
【結　論】
　本件審判の請求は、成り立たない。
【理　由】
第１．手続の経緯・本願発明
　本願は、２００５年５月９日（パリ条約による優先権主張外国庁受理２００４年５月７日、オーストラリア国）を国際出願日とする出願であって、平成２３年３月２日付けで拒絶査定がなされ、これに対し、同年６月１３日に拒絶査定不服審判が請求されるとともに、その審判の請求と同時に手続補正がなされたが、これに対し、平成２３年１１月１６日付けで拒絶理由が通知され、これに応答して平成２４年２月２２日付けで意見書および手続補正書が提出されたものであって、その請求項１に係る発明（以下「本願発明」という。）は、平成２３年６月１３日付けで手続補正がなされた次の事項により特定されるとおりのものである。なお、平成２４年２月２２日付けの手続補正は請求項１を補正するものではない。
　
「第１及び第２ポート（１４，１５）を有する本体（１１）と、前記本体（１１）を貫いて前記ポート間を延び、前記本体を通る空気の流れを可能にする換気通路（１３）と、前記第１ポートから前記第２ポートへの少なくとも一方向への前記換気通路を通る騒音の伝達を弱めるよう配置された騒音減衰装置（２１）とを備える換気装置（１０）であって、
　前記騒音減衰装置（２１）が減衰器管（２４）の第１及び第２アレイ（２２，２３）を含み、
　前記第１及び第２アレイ（２２，２３）が間隔をあけて、前記換気通路のそれぞれ向かい合う側（２５，２６）に配置されて、前記第１及び第２アレイ（２２，２３）の対向する面が前記通路の向かい合う側を画成し、
　各アレイは、異なる口部寸法及び異なる長さを有する複数の管の列と行を含み、
　前記管（２４）の各々が、前記対向する面のそれぞれに配置されて前記換気通路に開口する口部（２７）と、前記管の延長方向に前記口部から延びる中心軸線（ＣＡ）と、を有しており、前記通路が前記第１及び第２ポートの間の捩れた経路に従うように、前記アレイ（２２，２３）の前記対向する面が形作られ、
　前記第１アレイ（２２）における前記管（２４）の少なくとも幾つかが、前記第２アレイ（２３）における前記管（２４）の少なくとも幾つかと、それらの口部（２７）の領域で前記向き合う管の前記中心軸線（ＣＡ）を相互に傾斜させて向き合っていることを特徴とする、換気装置。」
　
第２．引用例
（１）当審における、平成２３年１１月１６日付けで通知した拒絶の理由に引用した、国際公開第００／２９６８４号（以下「引用例１」という。）には、図面と共に次の事項が記載されている。
　
ａ）「
Field of the Invention
　　This invention relates to a noise attenuation device, and in particular to a compact noise attenuation device.」（第１頁第２〜４行）
（当審仮訳）「
発明の技術分野
　
本発明は、騒音減衰装置、特にコンパクトな騒音減衰装置に関するものである
　
ｂ）「
Detailed Description of a Preferred Embodiment
　　Referring to the drawings, Figures 1 to 3 show first noise attenuator element 10 embodying the present invention. The noise attenuator element comprises an array of parallel rows of resonator cavities or open faced tubes in side by side relation. All the tubes in each row are the same size as each other. The array includes a first row 12 of three square tubes 12a of approximately 50mm square ( ie 50mm x 50mm). Adjacent that row, there is a second row 14 of five square tubes 14a each having a cross section of approximately 30mm x 30mm. Next there is a row 16 of six square tubes 16a which are approximately 26mm square, followed by a further seven rows 18, 20, 22, 24, 26 28, 30 of square tubes, each array having an additional tube compared to the adjacent previous tube in the array, finishing with a row 30 of thirteen tubes, 30a having a cross section of 9.7mm x 9.7mm. The height h of the attenuator, measured along the rows is about 150mm and as each row is made up of square tubes of equal side width the number of tubes in a row determines the width of each tube and vice versa.
　　With reference to Figure 2, it can be seen that the tubes are tapered so that the open end of the tubes are wider than their closed ends. The noise attenuator element 10 is moulded in a single piece from a plastics material, although other suitable materials could be used, and the tapering of the tubes enables the device to be more easily released from the mould.
　　Figure 3 shows a section through the noise attenuator element along lines III - III from which can be seen that the length of the tubes in each row varies. The tubes having relatively larger mouth widths are generally longer than the tubes having a shorter mouth width.
・・・・
　　Figures 4 and 5 show a second noise attenuator element 40 which is shaped and configured to cooperate with the noise attenuator element shown in Figures 1 to 3. This noise attenuator element also defines a series of parallel rows of tubes of square cross section arranged in side-by-side relation. However, unlike the element shown in Figures 1 to 3, the tubes do not extend across the entire length of the element. Instead the first part of the element 40 merely defines a flat plate 42. Adjacent the end of the flat plate is an array of ten sets of tubes whose open faces define a plane 44 which is at an angle of about 120 degrees with respect to the flat plate 42. The array of tubes comprises four rows 46, 48, 50, 52 of thirteen tubes having a square cross section of 9.7 x 9.7mm and gradually increasing depth. They are followed by a row 54 of twelve square tubes having a cross section of approximately 12mm x 12mm, a row 56 of nine tubes having a cross section of approximately 16 x 16mm followed by a rows 58, 60, 62, 64 of ten, eleven, twelve and thirteen tubes respectively, having gradually decreasing diameters. The lengths of the five tubes gradually decrease as can be seen in Figure 5.」（第６頁第３０行〜第８頁７行）
（当審仮訳）「
好ましい実施形態の詳細な説明
　図面を参照すると、
図１〜３は本発明を具体化する第１の騒音減衰器要素１０を示している
配列は、およそ５０ｍｍ平方（すなわち５０ｍｍ×５０ｍｍ）の３つの正方形の管１２ａの第１列１２を含む。その列に隣接して、およそ３０ｍｍ×３０ｍｍの断面を持つ５つの正方形の管１４ａの第２列１４がある。次におよそ２６ｍｍ平方の６つの正方形の管１６ａの列１６があり、さらに配列の一つ前列の管の数と比較して多い管の数を有する７つの列１８、２０、２２、２４、２６、２８、３０が続き、９．７ｍｍ×９．７ｍｍの断面を持つ１３本の管３０ａの列３０で終わる
　図２を参照すると、管は、管の開口端が閉端よりも広くなるようにテーパーを有していることがわかる。騒音減衰器要素１０は、他の適当な材料も用い得るがプラスチック材料から単一の部品で型により作られ、管のテーパーは部品を型から容易に分離することを可能にする。
　
図３は線ＩＩＩ−ＩＩＩに沿った騒音減衰器要素の断面を示し、それから管の長さが各列で変化していることがわかる。比較的大きな開口幅を有する管は一般的に小さい開口幅を有する管よりも長い
・・・・
　
図４および５は、図１〜３で示した騒音減衰器要素と関連して形作られるとともに配置された第２の騒音減衰器要素４０を示す
管の配列は、９．７×９．７ｍｍの正方形断面を持ち徐々に深くなる１３本の管からなる４列４６、４８、５０、５２を含む。それから、およそ１２ｍｍ×１２ｍｍの断面を持つ１２本の正方形の管の列５４、およそ１６×１６ｍｍの断面を持つ９本の管の列５６が続き、それぞれ１０本、１１本、１２本、１３本の径が徐々に小さくなる管からなる列５８、６０、６２、６４が続く。図５でわかるように５本の管の長さは徐々に短くなる
　
ｃ）「Figures 6 and 7 illustrate the two noise attenuator elements assembled to form a noise attenuator device to fit within a standard fixed air vent of an Australian residence. In most older buildings, the total area of the fixed air vent is one standard brick length by two brick heights which is approximately 250mm long x 170mm high. The dimensions of the vent and the depth of the wall 68 also determines the depth of the noise attenuator device. Clearly however the dimensions of the noise attenuator of the present invention can be adjusted to suit vents having different dimensions provided that certain rules discussed in detail below are followed for maximum efficiency.
　　The noise attenuator elements are enclosed in a casing 70 and sealed to the adjacent bricks with a suitable sealant 72. Grills 74 are placed over the cavities to prevent ingress of foreign material into the noise attenuator device but which at the same time allow a relatively free flow of air. As can be seen, when the two noise attenuator elements 10 and 40 are located in the cavity they define an angled or kinked aperture between themselves. The aperture defines an air flow path 73.
　　The action of the kinked air path in the attenuator provides only an indirect sound path from outside of the building to inside the building via the fixed air vent. This reduces the sound path passing through the device by providing a multiple barrier deflection effect as the sound is dispersed by the tubes which act as quarter wave attenuators. Also the angled opening means that the open mouths of the tubes are angled. This provides two significant advantages. First, the angled mouth has a larger cross-sectional area than a conventional tube opening, increasing the useful area used for the desired scattering mechanism. Secondly, in relation to the first effect, the grazing incidence of sound passing the open mouths of the tubes is lessened by the angled opening. The scattering mechanism is most efficient at normal incidence for sound and least efficient for grazing incidence. The angled mouths provide improved performance over grazing incidence. The lack of a direct line of sight through the barrier also has positive implications with regard to building security.
　　It is to be noted that the device functions by dispersing or scattering sound waves rather than by absorbing them. By using a number of rows of tubes having different mouth widths and cavity lengths, attenuation can be achieved over a wide range of frequencies.」（第８頁第８行〜第９頁７行）
（当審仮訳）「
図６および７は
固定換気口に適した騒音減衰装置を形成するために組み合わされた２つの騒音減衰器要素を図示している
　騒音減衰器要素はケーシング７０で囲まれ、適当な密閉材７２で隣接するブロックと密閉されている。騒音減衰装置の中への異物の進入を防ぐために、グリル７４が空洞を覆うように置かれるが、同時に空気の比較的自由な流れは許容する。図からもわかるように、
２つの騒音減衰器要素１０、４０が空洞内に位置するとき、それらの間に角度が付いたあるいは捻れた隙間を画定する。隙間は空気流通路７３を画定する
　
減衰器内の捻れた空気通路の作用は、固定換気口を通って建物の外から建物の中への直接的ではない音の経路のみを提供する
音が１／４波長減衰器として作用する管によって拡散される
装置を通過する音の経路を減らす
さらに角度の付いた開口とは管の開口が斜めであることを意味する。このことは、２つの重要な利点をもたらす
第２に、第１の効果と関連して、管の開口を通過する音のすれすれの入射が、角度の付いた開口によって減らされる。拡散メカニズムは音の垂直入射で最も効率的であり、すれすれの入射で最も効率的ではない。角度の付いた開口はすれすれの入射を克服して改善された性能をもたらす
　当該装置は、音波の吸収よりもむしろ拡散または散乱によって機能することを述べておくべきである。
異なる開口幅と空洞長さを有する管の多数の列を用いることによって、減衰は広範囲の周波数にわたって達成される
　
ｄ）上記ｃ）の「隙間は
空気流通路７３
空気通路
固定換気口
建物の外から建物の中への直接的ではない音の経路
音が１／４波長減衰器として作用する管によって拡散される
装置を通過する音の経路を減らす
　
ｅ）上記ｃ）の「
２つの騒音減衰器要素１０、４０が空洞内に位置するとき、それらの間に角度が付いたあるいは捻れた隙間を画定する。隙間は空気流通路７３を画定する
　
ｆ）図７から、「管」の各々が、対向する面のそれぞれに配置されて前記「空気流通路７３」に開口する「開口」と、前記「管」の延長方向に前記「開口」から延びる「中心軸線」とを有しており、「騒音減衰器要素１０」における前記「管」が、「騒音減衰器要素４０」における前記「管」と、それらの「開口」の領域で向き合う「管」の前記「中心軸線」を相互に平行にして向き合っていることが看てとれる。
　
　上記ａ）〜ｃ）の記載事項、上記ｄ）〜ｆ）の認定事項および図面の図示内容を総合し、本願発明の記載ぶりに則って整理すると、引用例１には、次の発明（以下「引用発明」という。）が開示されていると認められる。
「建物の外に面する開口および建物の中に面する開口を有する本体と、前記本体を貫いて前記建物の外に面する開口および建物の中に面する開口の間を延び、前記本体を通る空気の流れを可能にする空気流通路７３と、前記建物の外に面する開口から建物の中に面する開口への少なくとも一方向への前記空気流通路７３を通る騒音の伝達を弱めるよう配置された騒音減衰装置とを備える固定換気口であって、
　前記騒音減衰装置が４分の１波長減衰器として作用する管の騒音減衰器要素１０、４０を含み、
　前記騒音減衰器要素１０、４０が間隔をあけて、前記空気流通路７３のそれぞれ向かい合う側に配置されて、前記騒音減衰器要素１０、４０の対向する面が前記空気流通路７３の向かい合う側を画成し、
　各騒音減衰器要素１０、４０は、異なる開口幅及び異なる長さを有する複数の管の列と行を含み、
　前記管の各々が、前記対向する面のそれぞれに配置されて前記空気流通路７３に開口する開口と、前記管の延長方向に前記開口から延びる中心軸線と、を有しており、前記空気流通路７３が前記建物の外に面する開口および建物の中に面する開口の間の捩れた経路に従うように、前記騒音減衰器要素１０、４０の前記対向する面が形作られ、
　前記騒音減衰器要素１０における前記管が、前記騒音減衰器要素４０における前記管と、それらの開口の領域で向き合う管の前記中心軸線を相互に平行にして向き合っている固定換気口。」
　
（２）同じく、当審における、平成２３年１１月１６日付けで通知した拒絶の理由に引用した、特開２００２−８９２２８号公報（以下「引用例２」という。）には、図面と共に次の事項が記載されている。
　
ａ）「【発明の属する技術分野】
本発明は、送風機等による気流中の騒音の低減に効果を発揮する
請求項２記載の発明は
小型、低圧力損失、安価な非吸音材系の襞状騒音分離型消音器に関する
請求項４記載の発明は
騒音の漏洩を防止する換気型防音箱、防音建屋、防音壁等に、請求項１又は２又は３記載の襞状騒音分離型消音器を一体化、又はこれら装置の騒音発生源側に襞状騒音分離型消音器の構造を備えた低騒音型設備装置に関する
　
ｂ）「【発明の実施の形態】以下、本発明の襞状騒音分離型消音器の一例を、図面を用いて詳述する。
図１は、本発明の一実施例になる襞状騒音分離型消音器である
図１（ｂ）では、ステンレス鋼板などによる多角形筒１の上下に、吸気口２と排気口３を設け、この吸気口２と排気口３を》状に結ぶ気流通路４を確保し、その両側に、騒音衝突板７を縦方向と横方向に向けて、長いものから順次間隔を空けて配列した構造である
図１（ｂ）において、吸気口２から入る気流８と騒音９のうち、気流８は、》状の気流通路４を通り、気圧の低い排気口３へ向かって流れ排出される。一方騒音９は、進行方向の騒音衝突板７で形成される襞状空間１０に入り、気流８から分離する
更に襞状空間１０の最奥部から反射した騒音９との合体により、位相差減衰消音が作用して消音される
　
なお、位相差減衰消音の最大効果を発揮する条件は、騒音９が波長の１／４又は３／４の反射距離で合体することであり
襞状空間１０の奥部から反射する騒音９の位相差減衰消音は、騒音衝突板７が長いほど低周波数帯側で作用する
　本発明において、低周波数帯用の襞状空間１０を増すと、その低周波数帯の位相差減衰消音効果が顕著に増加する。また多角形筒１の奥行き（ロ）を増すか高さ（ハ）を増すと、騒音衝突板７を長くすることができ、それに対応する低周波数帯の消音効果が向上する。
また気流通路４を挟んで縦方向と横方向に配列した騒音衝突板７のオーバーラップ分が増加することから、騒音９の襞状空間１０へ導かれる確率が高まり、消音効果が向上する
はば（イ）を増すと、大容量の気流に対応できるが、中仕切りを設け、騒音９の衝突回数の減少を防止する必要がある
　
ｃ）図１〜４から、引用例２に記載された「襞状騒音分離型消音器」は、「襞状空間１０」が「気流通路４」によって、「第１の部分」と「第２の部分」の２つに分かれており、前記「第１の部分」と「第２の部分」が間隔をあけて、前記「気流通路４」のそれぞれ向かい合う側に配置されて、前記「第１の部分」と「第２の部分」の対向する面が前記「気流通路４」の向かい合う側を画成していることが看てとれる。
　
ｄ）図１〜４から、引用例２に記載された「襞状空間１０」は、異なる長さを有する複数の「空間」を含み、前記空間の各々が、対向する面のそれぞれに配置されて「気流通路４」に開口する「口部」と、前記「空間」の延長方向に前記「口部」から延びる「中心軸線」とを有していることが看てとれる。
　
ｅ）上記ｂ）の「
気流通路４を挟んで縦方向と横方向に配列した騒音衝突板７
　
　上記ａ）〜ｂ）の記載事項、上記ｃ）〜ｅ）の認定事項および図面の図示内容を総合すると、引用例２には、次の事項が記載されていると認められる。
「吸気口２及び排気口３を有する多角形筒１と、前記多角形筒１を貫いて前記吸気口２及び排気口３の間を延び、前記多角形筒１を通る空気の流れを可能にする気流通路４と、前記吸気口２から前記排気口３への少なくとも一方向への前記気流通路４を通る騒音の伝達を弱めるよう配置された襞状騒音分離型消音器とを備える換気型防音箱であって、
　前記襞状騒音分離型消音器が襞状空間１０の第１及び第２の部分を含み、
　前記第１及び第２の部分が間隔をあけて、前記気流通路４のそれぞれ向かい合う側に配置されて、前記第１及び第２の部分の対向する面が前記気流通路４の向かい合う側を画成し、
　襞状空間１０の各部分は、異なる長さを有する複数の空間を含み、
　前記空間の各々が、前記対向する面のそれぞれに配置されて前記気流通路４に開口する口部と、前記空間の延長方向に前記口部から延びる中心軸線と、を有しており、前記気流通路４が前記吸気口２及び排気口３の間の捩れた経路に従うように、前記第１及び第２の部分の前記対向する面が形作られ、
　前記第１の部分における前記空間が、前記第２の部分における前記空間と、それらの口部の領域で前記向き合う空間の前記中心軸線を相互に略直角に傾斜させて向き合っていること」
　
第３．対比
　本願発明と引用発明とを対比する。
　引用発明の「建物の外に面する開口および建物の中に面する開口」は、本願発明の「第１及び第２ポート」に相当し、以下同様に、
「建物の外に面する開口および建物の中に面する開口の間」は「ポート間」に、
「空気流通路７３」は「換気通路」または「通路」に、
「固定換気口」は「換気装置」に、
「４分の１波長減衰器として作用する管」は「減衰器管」に、
「騒音減衰器要素１０、４０」は「第１及び第２アレイ」または「アレイ」に、
「開口幅」は「口部寸法」に、
「（管の）開口」は「口部」に、それぞれ相当する。
　
　したがって、両者は、
「第１及び第２ポートを有する本体と、前記本体を貫いて前記ポート間を延び、前記本体を通る空気の流れを可能にする換気通路と、前記第１ポートから前記第２ポートへの少なくとも一方向への前記換気通路を通る騒音の伝達を弱めるよう配置された騒音減衰装置とを備える換気装置であって、
　前記騒音減衰装置が減衰器管の第１及び第２アレイを含み、
　前記第１及び第２アレイが間隔をあけて、前記換気通路のそれぞれ向かい合う側に配置されて、前記第１及び第２アレイの対向する面が前記通路の向かい合う側を画成し、
　各アレイは、異なる口部寸法及び異なる長さを有する複数の管の列と行を含み、
　前記管の各々が、前記対向する面のそれぞれに配置されて前記換気通路に開口する口部と、前記管の延長方向に前記口部から延びる中心軸線と、を有しており、前記通路が前記第１及び第２ポートの間の捩れた経路に従うように、前記アレイの前記対向する面が形作られた換気装置。」の点で一致し、以下の点で相違している。
　
［相違点］
　本願発明は、「前記第１アレイにおける前記管の少なくとも幾つかが、前記第２アレイにおける前記管の少なくとも幾つかと、それらの口部の領域で前記向き合う管の前記中心軸線を
相互に傾斜させて
相互に平行にして
　
第４．判断
［相違点］について
　本願発明と引用例２の記載事項とを対比する。
　引用例２の「吸気口２」は、本願発明の「第１ポート」に相当し、以下同様に、
「排気口３」は「第２ポート」に、
「多角形筒１」は「本体」に、
「吸気口２及び排気口３の間」は「ポート間」に、
「気流通路４」は「換気通路」または「通路」に、
「襞状騒音分離型消音器」は「騒音減衰装置」に、
「換気型防音箱」は「換気装置」に、
「（襞状空間１０の）第１及び第２の部分」は「第１及び第２アレイ」または「アレイ」に、それぞれ相当する。
　
　また、引用例２の「襞状空間１０」は騒音を消音（減衰）する空間であるから、引用例２の「襞状空間１０」と本願発明の「減衰器管（２４）」とは、「減衰器」という点で共通する。
　さらに、引用例２の「（襞状空間１０内の）空間」と本願発明の「管」とは、「空間」という点で共通する。
　すると、引用例２の「襞状空間１０の各部分は、異なる長さを有する複数の空間を含み」と本願発明の「各アレイは、異なる口部寸法及び異なる長さを有する複数の管の列と行を含み」とは、「各アレイは、異なる長さを有する複数の空間を含み」という点で共通するとともに、引用例２の「前記第１の部分における前記空間が、前記第２の部分における前記空間と、それらの口部の領域で前記向き合う空間の前記中心軸線を相互に略直角に傾斜させて向き合っている」ことと本願発明の「前記第１アレイ（２２）における前記管（２４）の少なくとも幾つかが、前記第２アレイ（２３）における前記管（２４）の少なくとも幾つかと、それらの口部（２７）の領域で前記向き合う管の前記中心軸線（ＣＡ）を相互に傾斜させて向き合っている」こととは、「前記第１アレイにおける前記空間が、前記第２アレイにおける前記空間と、それらの口部の領域で前記向き合う空間の前記中心軸線を相互に傾斜させて向き合っている」という点で共通する。
　そうすると、引用例２の記載事項は、
「第１及び第２ポートを有する本体と、前記本体を貫いて前記ポート間を延び、前記本体を通る空気の流れを可能にする換気通路と、前記第１ポートから前記第２ポートへの少なくとも一方向への前記換気通路を通る騒音の伝達を弱めるよう配置された騒音減衰装置とを備える換気装置であって、
　前記騒音減衰装置が減衰器の第１及び第２アレイを含み、
　前記第１及び第２アレイが間隔をあけて、前記換気通路のそれぞれ向かい合う側に配置されて、前記第１及び第２アレイの対向する面が前記通路の向かい合う側を画成し、
　各アレイは、異なる長さを有する複数の空間を含み、
　前記空間の各々が、前記対向する面のそれぞれに配置されて前記換気通路に開口する口部と、前記空間の延長方向に前記口部から延びる中心軸線と、を有しており、前記通路が前記第１及び第２ポートの間の捩れた経路に従うように、前記アレイの前記対向する面が形作られ、
　
前記第１アレイにおける前記空間が、前記第２アレイにおける前記空間と、それらの口部の領域で前記向き合う空間の前記中心軸線を相互に傾斜させて向き合っていること
　
　そして、引用発明の「騒音減衰装置」と引用例２の「襞状騒音分離型消音器」とは、共に「１／４波長減衰」の効果を利用した略同様の構成を有する「騒音減衰装置」という同一の技術分野に属する発明であるとともに、引用発明も引用例２に記載された事項も、装置の小型化という共通の課題を有するものである。
　また、引用例１の上記ｃ）には「第２に、第１の効果と関連して、管の開口を通過する音のすれすれの入射が、角度の付いた開口によって減らされる。拡散メカニズムは音の垂直入射で最も効率的であり、すれすれの入射で最も効率的ではない。角度の付いた開口はすれすれの入射を克服して改善された性能をもたらす。」と記載されている。つまり、音が、「すれすれの入射（grazing incidence）」言い換えると、管の開口面に略平行に入射するよりも、「垂直入射（normal incidence）」言い換えると、管の開口面に略垂直、つまり、管の中心軸線と略平行に入射する方が、騒音減衰がより効率的であることが開示されている。
　一方、引用例２の上記ｂ）には「図１（ｂ）において、吸気口２から入る気流８と騒音９のうち、気流８は、》状の気流通路４を通り、気圧の低い排気口３へ向かって流れ排出される。一方騒音９は、進行方向の騒音衝突板７で形成される襞状空間１０に入り、気流８から分離する。」と記載されている。つまり、引用例２の「襞状騒音分離型消音器」は、「騒音９」が「襞状空間１０」に入り易くするために、「気流通路４」の両側に配置された両「襞状空間１０」の口部が音源の方を向くように、口部から延びる中心軸線の各々が「気流通路４」と鋭角に交わるようにしたものであり、その結果、互いに向き合う「襞状空間１０」の口部から延びる中心軸線が互いに略直角に傾斜するように「襞状空間１０」が配置されたものである。
　そうすると、引用発明においてより効率的に騒音を減衰させるために、引用発明の「騒音減衰装置」の「騒音減衰器要素１０、４０」の各「管」に、引用例２に記載された「襞状空間１０」の配置構成を適用して、互いに向き合う「管」の中心軸線を相互に傾斜させて配置することにより、相違点に係る本願発明の構成とすることは、当業者が容易に想到し得たものというべきである。
　
　そして、本願発明の奏する作用効果も、引用発明及び引用例２に記載された事項から当業者が予測できる範囲内のものである。
　したがって、本願発明は、引用発明及び引用例２に記載された事項に基づいて当業者が容易に発明をすることができたものである。
　
第５．むすび
　以上のとおり、本願発明は、引用発明及び引用例２に記載された事項に基づいて当業者が容易に発明をすることができたものであるから、特許法第２９条第２項の規定により特許を受けることができない。
　したがって、本願は他の請求項について検討するまでもなく、拒絶すべきものである。
　
　よって、結論のとおり審決する。